(57)【要約】      （修正有）【課題】Ｒ、Ｇ、Ｂそれぞれの放電セルでの消費電力の差を考慮して補正された平均信号レベルによって自動電力制御を行って、画面の色相変化による消費電力の不均衡を制御できるＰＤＰの駆動方法及び装置を提供する。【解決手段】あらゆる放電セルに印加される信号レベルの平均である平均信号レベルをそれぞれのフレーム単位に予測し、予測された平均信号レベルに反比例するようにそれぞれのフレームにおける放電回数を制御するＰＤＰの駆動方法において、(ａ)映像信号からあらゆるＲ、Ｇ、Ｂ放電セルに印加される信号レベルの平均であるＲ、Ｇ、Ｂ平均信号レベルをそれぞれ求める段階と、(ｂ)Ｒ、Ｇ、Ｂ平均信号レベルとＲ、Ｇ、Ｂ加重値とを用いて補正平均信号レベルを求める段階と、(ｃ)補正平均信号レベルに基づいてフレームにおける放電回数を制御する段階と、を備える。これにより、Ｒ、Ｇ、Ｂそれぞれの放電セルでの消費電力の差を考慮して補正された平均信号レベルによって自動電力制御を行って、画面の色相変化による消費電力の不均衡を制御できる。【選択図】図１２
2005157364.tif 000002
【特許請求の範囲】
【請求項１】
Ｘ電極ラインとＹ電極ラインとが交互に並んで配列される維持電極ライン対に対してアドレス電極ラインが交差する領域に赤色(Ｒ)、緑色(Ｇ)、青色(Ｂ)の放電セルがそれぞれ形成されるプラズマディスプレイパネルに対し、外部から入力されるＲ、Ｇ、Ｂの組み合わせからなる映像信号を処理してフレーム単位に区分し、前記それぞれのフレームをそれぞれの階調加重値を持つ複数のサブフィールドに分けてプラズマディスプレイパネルに階調ディスプレイを行うものであって、前記あらゆる放電セルに印加される信号レベルの平均である平均信号レベルをそれぞれのフレーム単位に予測し、前記予測された平均信号レベルに反比例するようにそれぞれのフレームにおける放電回数を制御するプラズマディスプレイパネルの駆動方法において、
(ａ)前記映像信号からフレーム単位であらゆるＲ、Ｇ、Ｂ放電セルに印加される信号レベルの平均であるＲ、Ｇ、Ｂ平均信号レベルをそれぞれ求める段階と、
(ｂ)前記Ｒ、Ｇ、Ｂ平均信号レベル及びＲ、Ｇ、Ｂ加重値を用いて補正平均信号レベルを求める段階と、
(ｃ)前記補正平均信号レベルに基づいて前記それぞれのフレームにおける放電回数を制御する段階と、を備えるプラズマディスプレイパネルの駆動方法。
【請求項２】
前記(ｂ)段階が、
(ｂ１)前記Ｒ、Ｇ、Ｂ平均信号レベルとＲ、Ｇ、Ｂ加重値とをそれぞれ積算し、かつ合算してその和を求める段階と、
(ｂ２)前記ｂ１段階で求められた前記和を前記Ｒ、Ｇ、Ｂ加重値の和で割って補正平均信号レベルを求める段階と、を備える請求項１に記載のプラズマディスプレイパネルの駆動方法。
【請求項３】
前記(ｃ)段階は、自動電力制御テーブルを用いる請求項１に記載のプラズマディスプレイパネルの駆動方法。
【請求項４】
前記自動電力制御テーブルは、それぞれの前記補正平均信号レベルに対し、前記補正平均信号レベルに基づいて前記それぞれのフレームにおける放電回数を割り当てる自動電力制御テーブルを形成し、前記自動電力制御テーブルからそれぞれの前記補正平均信号レベルに該当する前記それぞれのフレームにおける放電回数による自動電力制御データを求める請求項３に記載のプラズマディスプレイパネルの駆動方法。
【請求項５】
フレーム単位の前記放電回数は、前記補正平均信号レベルに反比例する請求項４に記載のプラズマディスプレイパネルの駆動方法。
【請求項６】
消費電力が前記補正平均信号レベルによって定められ、
前記Ｒ、Ｇ、Ｂ加重値のそれぞれが、前記Ｒ、Ｇ、Ｂ平均信号レベルが同じ場合に全画面Ｒ、Ｇ、Ｂのそれぞれを表現するための消費電力の差が最小になるように定められる請求項１に記載のプラズマディスプレイパネルの駆動方法。
【請求項７】
Ｘ電極ラインとＹ電極ラインとが交互に並んで配列される維持電極ライン対に対してアドレス電極ラインが交差する領域にＲ、Ｇ、Ｂ放電セルがそれぞれ形成されるプラズマディスプレイパネルに対し、外部から入力されるＲ、Ｇ、Ｂの組み合わせからなる映像信号を処理してフレーム単位に区分し、前記それぞれのフレームをそれぞれの階調加重値を持つ複数のサブフィールドに分けてプラズマディスプレイパネルに階調ディスプレイを行うものであって、前記あらゆる放電セルに印加される信号レベルの平均である平均信号レベルをそれぞれのフレーム単位に予測し、前記予測された平均信号レベルに反比例するようにそれぞれのフレームにおける放電回数を制御するプラズマディスプレイパネルの駆動装置において、
前記映像信号からフレーム単位であらゆるＲ、Ｇ、Ｂ放電セルに印加される信号レベルの平均であるＲ、Ｇ、Ｂ平均信号レベルをそれぞれ求める平均信号レベル演算部と、
前記Ｒ、Ｇ、Ｂ平均信号レベル及びＲ、Ｇ、Ｂ加重値を用いて補正平均信号レベルを求める補正平均信号レベル演算部と、
前記補正平均信号レベルに基づいて前記それぞれのフレームにおける放電回数を制御する自動電力制御データ生成部と、を備えるプラズマディスプレイパネルの駆動装置。
【請求項８】
前記補正平均信号レベル演算部が、
前記Ｒ、Ｇ、Ｂ平均信号レベルと前記Ｒ、Ｇ、Ｂ加重値とをそれぞれ積算し、かつ合算してその和を求め、前記和を前記Ｒ、Ｇ、Ｂ加重値の和で割って補正平均信号レベルを求める請求項７に記載のプラズマディスプレイパネルの駆動方法。
【請求項９】
前記自動電力制御データ生成部が、それぞれの前記補正平均信号レベルに対し、前記補正平均信号レベルに反比例する前記それぞれのフレームにおける放電回数を割り当てる自動電力制御テーブルを形成し、前記自動電力制御テーブルからそれぞれの前記補正平均信号レベルに該当する前記それぞれのフレームにおける放電回数による自動電力制御データを求める請求項７に記載のプラズマディスプレイパネルの駆動装置。
【請求項１０】
消費電力が前記補正平均信号レベルによって定められ、
前記Ｒ、Ｇ、Ｂ加重値のそれぞれが、前記Ｒ、Ｇ、Ｂ平均信号レベルが同じ場合に全画面Ｒ、Ｇ、Ｂのそれぞれを表現するための消費電力の差が最小になるように定められる請求項７に記載のプラズマディスプレイパネルの駆動装置。
【発明の詳細な説明】
【技術分野】
【０００１】
本発明は、プラズマディスプレイパネル（以下、ＰＤＰ）の駆動方法及び装置に係り、より詳細には赤色(Ｒ)、緑色(Ｇ)、青色(Ｂ）それぞれの放電セルでの消費電力の差を考慮して補正された平均信号レベルによって自動電力制御を行うＰＤＰ駆動方法及び装置に関する。
【背景技術】
【０００２】
図１は、一般的な３電極面放電方式のＰＤＰの構造を示す内部斜視図である。
【０００３】
図面を参照すれば、一般的な面放電ＰＤＰ１の前面及び背面ガラス基板１０、１３の間には、アドレス電極ラインＡＲ１，ＡＧ１，…，ＡＧｍ，ＡＢｍ、誘電層１１、１５、Ｙ電極ラインＹ１，…，Ｙｎ、Ｘ電極ラインＸ１，…，Ｘｎ、蛍光層１６、隔壁１７及び保護層としての一酸化マグネシウム(ＭｇＯ)層１２が設けられている。
【０００４】
アドレス電極ラインＡＲ１，ＡＧ１，…，ＡＧｍ，ＡＢｍは背面ガラス基板１３の前側に一定のパターンに形成される。下方の誘電層１５はアドレス電極ラインＡＲ１，ＡＧ１，…，ＡＧｍ，ＡＢｍの前側で全面塗布される。下方誘電層１５の前側には隔壁１７がアドレス電極ラインＡＲ１，ＡＧ１，…，ＡＧｍ，ＡＢｍと平行した方向に形成される。この隔壁１７は各放電セルの放電領域を区画し、各放電セル間の光学的干渉を防止する機能を行う。蛍光層１６は隔壁１７の間で形成される。
【０００５】
Ｘ電極ラインＸ１，…，Ｘｎ及びＹ電極ラインＹ１，…，Ｙｎはアドレス電極ラインＡＲ１，ＡＧ１，…，ＡＧｍ，ＡＢｍと直交するように前面ガラス基板１０の背面に一定のパターンに形成される。各交点は相応する放電セルを設定する。各Ｘ電極ラインＸ１，…，Ｘｎと各Ｙ電極ラインＹ１，…，ＹｎとはＩＴＯ(Ｉｎｄｉｕｍ  Ｔｉｎ  Ｏｘｉｄｅ)などの透明な導電性材質の透明電極ラインと、伝導度を高めるための金属電極ラインとが結合されて形成される。前方の誘電層１１はＸ電極ラインＸ１，…，Ｘｎ及びＹ電極ラインＹ１，…，Ｙｎの後方に全面塗布されて形成される。強い電界からパネル１を保護するための保護層１２、例えば、ＭｇＯ層は前方の誘電層１１の後方に全面塗布されて形成される。放電空間１４にはプラズマ形成用ガスが密封される。
【０００６】
前記のような構造のＰＤＰ１の駆動方法として、主に使われるアドレス-ディスプレイ分離駆動方法が特許文献１に開示されている。
【０００７】
図２は、図１に示すＰＤＰの一般的な駆動装置を示すブロック図である。
【０００８】
図面を参照すれば、プラズマ表示パネル１の一般的な駆動装置２は映像処理部２６、論理制御部２２、アドレス駆動部２３、Ｘ駆動部２４、及びＹ駆動部２５を含む。映像処理部２６は、外部アナログ映像信号をデジタル信号に変換して内部映像信号、例えば、それぞれ８ビットの赤色(Ｒ)、緑色(Ｇ)、及び青色(Ｂ）の映像データ、クロック信号、垂直及び水平同期信号を発生させる。論理制御部２２は、映像処理部２６からの内部映像信号によって駆動制御信号ＳＡ、ＳＹ、ＳＸを発生させる。
【０００９】
この時、アドレス駆動部２３、Ｘ駆動部２４、及びＹ駆動部２５などの駆動部で前記駆動制御信号ＳＡ、ＳＹ、ＳＸを入力してそれぞれの駆動信号を発生させ、発生した駆動信号をそれぞれの電極ラインに印加する。
【００１０】
すなわち、アドレス駆動部２３は、論理制御部２２からの駆動制御信号ＳＡ、ＳＹ、ＳＸのうちアドレス信号ＳＡを処理して表示データ信号を発生させ、発生した表示データ信号をアドレス電極ラインに印加する。Ｘ駆動部２４は、論理制御部２２からの駆動制御信号ＳＡ、ＳＹ、ＳＸのうちＸ駆動制御信号ＳＸを処理してＸ電極ラインに印加する。Ｙ駆動部２５は論理制御部２２からの駆動制御信号ＳＡ、ＳＹ、ＳＸのうちY駆動制御信号ＳＹを処理してＹ電極ラインに印加する。
【００１１】
図３は、図１に示すＰＤＰの一般的な駆動方法を示すタイミング図である。
【００１２】
図面を参照すれば、単位フレームは時分割階調表示を実現するために８個のサブフィールドＳＦ１，…，ＳＦ８に分割される。また、各サブフィールドＳＦ１，…，ＳＦ８はリセット周期Ｒ１，…，Ｒ８と、アドレス周期Ａ１，…，Ａ８、及び維持放電周期Ｓ１，…，Ｓ８に分割される。
【００１３】
ＰＤＰの輝度は単位フレームで占める維持放電周期Ｓ１，…，Ｓ８の長さに比例する。単位フレームで占める維持放電周期Ｓ１，…，Ｓ８の長さは２５５Ｔ(Ｔは単位時間)である。この時、第ｎサブフィールドＳＦｎの維持放電周期Ｓｎには２nに相応する時間がそれぞれ設定される。これにより、８つのサブフィールドのうち表示されるサブフィールドを適切に選択すれば、どのサブフィールドでも表示されていない０(ゼロ)階調を含んで全て２５６階調の表示が行われることが分かる。
【００１４】
図４は、図３の単位サブフィールドで図１に示すＰＤＰの電極ラインに印加される駆動信号を示すタイミング図である。
【００１５】
図面を参照すれば、参照符号ＳＡＲ１…ＡＢｍは、各アドレス電極ライン(図１のＡＲ１，ＡＧ１，…，ＡＧｍ，ＡＢｍ)に印加される駆動信号を、ＳＸ１…Ｘｎは、Ｘ電極ライン(図１のＸ１，…，Ｘｎ)に印加される駆動信号を、そしてＳＹ１…Ｙｎは、各Ｙ電極ライン(図１のＹ１，…，Ｙｎ)に印加される駆動信号を示す。
【００１６】
図面を参照すれば、単位サブフィールドＳＦのリセット周期ＰＲでは、まずＸ電極ラインＸ１，…，Ｘｎに印加される電圧を接地電圧ＶＧから第１電圧Ｖeまで持続的に上昇させる。ここで、Ｙ電極ラインＹ１，…，Ｙｎ及びアドレス電極ラインＡＲ１，ＡＧ１，…，ＡＧｍ，ＡＢｍには接地電圧ＶＧが印加される。
【００１７】
次に、Ｙ電極ラインＹ１，…，Ｙｎに印加される電圧が第２電圧ＶＳ、例えば、１５５ボルトＶから第２電圧ＶＳより第３電圧ＶＳＥＴほどさらに高い最高電圧ＶＳＥＴ＋ＶＳ、例えば、３５５Ｖまで上昇し続ける。ここで、Ｘ電極ラインＸ１，…，Ｘｎ及びアドレス電極ラインＡＲ１，ＡＧ１，…，ＡＧｍ，ＡＢｍには接地電圧ＶＧが印加される。
【００１８】
次に、Ｘ電極ラインＸ１，…，Ｘｎに印加される電圧が第２電圧ＶＳに維持された状態で、Ｙ電極ラインＹ１，…，Ｙｎに印加される電圧が第２電圧ＶＳから接地電圧ＶＧまで下降し続ける。ここで、アドレス電極ラインＡＲ１，ＡＧ１，…，ＡＧｍ，ＡＢｍには接地電圧ＶＧが印加される。
【００１９】
これにより、続くアドレス周期ＰＡで、アドレス電極ラインに表示データ信号が印加され、第２電圧ＶＳより低い第４電圧ＶＳＣＡＮにバイアスされたＹ電極ラインＹ１，…，Ｙｎに接地電圧ＶＧの走査信号が順次に印加されることによって、円滑なアドレスが行われる。各アドレス電極ラインＡＲ１，ＡＧ１，…，ＡＧｍ，ＡＢｍに印加される表示データ信号は、放電セルを選択する場合に正極性アドレス電圧ＶＡ、そうでない場合に接地電圧ＶＧが印加される。これにより接地電圧ＶＧの走査パルスが印加される間に正極性アドレス電圧ＶＡの表示データ信号が印加されれば、相応する放電セルでアドレス放電によって壁電荷が形成され、そうでない放電セルでは壁電荷が形成されない。ここで、より正確でかつ効率的なアドレス放電のために、Ｘ電極ラインＸ１，…，Ｘｎに第１電圧Ｖeが印加される。
【００２０】
続く維持放電周期ＰＳでは、あらゆるＹ電極ラインＹ１，…，Ｙｎ及びＸ電極ラインＸ１，…，Ｘｎに第２電圧ＶＳのディスプレイ維持パルスが交互に印加され、相応するアドレス周期ＰＡで壁電荷が形成された放電セルでディスプレイ維持のための放電を発生させる。
【００２１】
図５は、一般的なＰＤＰでの自動電力制御の原理を概略的に示すグラフである。
【００２２】
図面を参照すれば、一般的に自動電力制御(ＡＰＣ)によれば、全画面の放電セルのうちオンになる放電セルの比率が負荷率によって一つのフレーム内の維持放電周期に維持電極ライン対に印加される維持パルスの数を制御する。この時、単位フレームにおける維持パルスの数は負荷率に反比例する。すなわち、負荷率が小さければ単位フレームにおける維持パルスの数を増やして表示される映像の輝度を高め、負荷率が大きければ単位フレームにおける維持パルスの数を減らして消費電力を節減させうる。
【００２３】
この時、平均信号レベル(ＡＳＬ)は、フレーム単位で階調表示のためにセルに印加されるあらゆる信号レベルが平均である。したがって、平均信号レベルは負荷率と同じ意味であるが、平均信号レベルの単位と負荷率の単位とは相異なる。以下では、負荷率と平均信号レベルとは互いに取り替えられて用いられる。単位フレームにおける平均信号レベルはそれぞれのフレームにおけるパネルを構成する全体放電セルでの全体セルデータを累積して全体放電セルの数で分けて求めうる。ここで、全体放電セルはＲ、Ｇ、Ｂのそれぞれを表示する放電セルで構成される。
【００２４】
ところが、非対称セル構造などの色々な要因によって同じ平均信号レベルであっても、Ｒ、Ｇ、Ｂ放電セルそれぞれの場合に消費電力が異なる場合がある。したがって、現在の階調レベルによるＡＰＣデータ抽出方法では設計値と異なる消費電力を示す可能性がある。
【００２５】
すなわち、全体Ｒ、全体Ｇ、全体Ｂの場合には同じ平均信号レベルを持つ場合であっても、パネルの放電状態と条件によって異なる消費電力を持つようになり、このような特性によって従来のＡＰＣによって具現しようとする消費電力が得られない。
【００２６】
図６及び図７は、図５の自動電力制御による駆動方法で非対称構造パネルのＲ、Ｇ、Ｂそれぞれに対する消費電力の様子を示す図面である。
【００２７】
図面を参照すれば、非対称構造のＰＤＰに対して一般的な自動電力制御によって負荷率を０から１００までに１０ずつ増加させながらＲ、Ｇ、Ｂそれぞれを表現する場合に、それぞれの消費電力と同じ負荷率で色相を変化させる場合の偏差を示す。ここで、図６のテーブルと図７のグラフに示すように同じ負荷率でも表示する色相によって消費電力の差が大きいことがわかる。
【特許文献１】米国特許第５，５４１，６１８号公報
【発明の開示】
【発明が解決しようとする課題】
【００２８】
本発明は前記問題点を解決するためのものであって、Ｒ、Ｇ、Ｂそれぞれの放電セルでの消費電力の差を考慮して補正された平均信号レベルによって自動電力制御を行うＰＤＰの駆動方法及び装置を提供することを目的とする。
【課題を解決するための手段】
【００２９】
前記技術的課題を達成するための本発明に係るＰＤＰの駆動方法は、Ｘ電極ラインとＹ電極ラインとが交互に並んで配列される維持電極ライン対に対してアドレス電極ラインが交差する領域に赤色(Ｒ)、緑色(Ｇ)、青色(Ｂ)の放電セルがそれぞれ形成されるＰＤＰに対し、外部から入力されるＲ、Ｇ、Ｂの組み合わせからなる映像信号を処理してフレーム単位に区分し、それぞれのフレームをそれぞれの階調加重値を持つ複数のサブフィールドに分けてＰＤＰに階調ディスプレイを行うものであって、あらゆる放電セルに印加される信号レベルの平均である平均信号レベルをそれぞれのフレーム単位に予測し、予測された平均信号レベルに反比例するようにそれぞれのフレームにおける放電回数を制御するプラズマディスプレイパネルの駆動方法において、(ａ)映像信号からフレーム単位であらゆるＲ、Ｇ、Ｂ放電セルに印加される信号レベルの平均であるＲ、Ｇ、Ｂ平均信号レベルをそれぞれ求める段階と、(ｂ)Ｒ、Ｇ、Ｂ平均信号レベル及びＲ、Ｇ、Ｂ加重値を用いて補正平均信号レベルを求める段階と、(ｃ)補正平均信号レベルに基づいてそれぞれのフレームにおける放電回数を制御する段階と、を備える。
【００３０】
前記(ｂ)段階は、(ｂ１)Ｒ、Ｇ、Ｂ平均信号レベルとＲ、Ｇ、Ｂ加重値とをそれぞれ積算し、かつ合算してその和を求める段階と、(ｂ２)前記ｂ１段階で求められた前記和を前記Ｒ、Ｇ、Ｂ加重値の和で割って補正平均信号レベルを求める段階と、を備えることが望ましい。
【００３１】
前記(ｃ)段階は、自動電力制御テーブルを用いることが望ましい。
【００３２】
前記自動電力制御テーブルは、それぞれの補正平均信号レベルに対し、補正平均信号レベルに反比例するそれぞれのフレームにおける放電回数を割り当てる自動電力制御テーブルを形成し、自動電力制御テーブルからそれぞれの補正平均信号レベルに該当するそれぞれのフレームにおける放電回数による自動電力制御データを求めることが望ましい。
【００３３】
消費電力が補正平均信号レベルによって定められ、Ｒ、Ｇ、Ｂ加重値のそれぞれが、Ｒ、Ｇ、Ｂ平均信号レベルが同じ場合に全画面Ｒ、Ｇ、Ｂのそれぞれを表現するための消費電力の差が最小になるように定められることが望ましい。
【００３４】
本発明の他の側面によるＰＤＰの駆動装置は、Ｘ電極ラインとＹ電極ラインとが交互に並んで配列される維持電極ライン対に対してアドレス電極ラインが交差する領域にＲ、Ｇ、Ｂ放電セルがそれぞれ形成されるＰＤＰに対し、外部から入力されるＲ、Ｇ、Ｂの組み合わせからなる映像信号を処理してフレーム単位に区分し、それぞれのフレームをそれぞれの階調加重値を持つ複数のサブフィールドに分けてＰＤＰに階調ディスプレイを行うものであって、あらゆる放電セルに印加される信号レベルの平均である平均信号レベルをそれぞれのフレーム単位に予測し、予測された平均信号レベルに反比例するようにそれぞれのフレームにおける放電回数を制御するＰＤＰの駆動装置において、 平均信号レベル演算部と、補正平均信号レベル演算部と、自動電力制御データ生成部と、を備える。
【００３５】
前記補正平均信号レベル演算部は、Ｒ、Ｇ、Ｂ平均信号レベルとＲ、Ｇ、Ｂ加重値とをそれぞれ積算し、かつ合算してその和を求め、前記和を前記Ｒ、Ｇ、Ｂ加重値の和で割って補正平均信号レベルを求める。前記自動電力制御データ生成部は、補正平均信号レベルに反比例するそれぞれのフレームにおける放電回数を制御する。
【発明の効果】
【００３６】
本発明に係るＰＤＰの駆動方法及び装置によれば、Ｒ、Ｇ、Ｂそれぞれの放電セルでの消費電力の差を考慮して補正された平均信号レベルによって自動電力制御を行って、画面の色相変化による消費電力の不均衡を制御できる。
【００３７】
また、画面の色相変化による負荷率変化で消費電力特性が変更されることを制御して、同一平均信号レベルに対して類似した消費電力を持たせて安定した消費電力特性が得られる。
【発明を実施するための最良の形態】
【００３８】
以下、添付された図面を参照して望ましい実施の形態による本発明を詳細に説明する。
【００３９】
図８は、本発明の望ましい実施の形態によるＰＤＰの駆動方法を概略的に示すブロック図である。図９及び図１０は、図８の自動電力制御による駆動方法で非対称構造パネルのＲ、Ｇ、Ｂそれぞれに対する消費電力の様子を示す図面である。
【００４０】
図面を参照すれば、ＰＤＰの駆動方法２００は、Ｘ電極ライン(図１のＸ１，…，Ｘｎ)とＹ電極ライン(図１のＹ１，…，Ｙｎ)とが交互に並んで配列される維持電極ライン対に対してアドレス電極ライン(図１のＡＲ１，ＡＧ１，…，ＡＧｍ，ＡＢｍ)が交差する領域にＲ、Ｇ、Ｂ放電セルがそれぞれ形成されるＰＤＰ(図１の１)に対し、外部から入力されるＲ、Ｇ、Ｂの組み合わせからなる映像信号を処理してフレーム単位に区分し、それぞれのフレームをそれぞれの階調加重値を持つ複数のサブフィールド(図３のＳＦ)に分けてＰＤＰに階調ディスプレイを行うものであって、あらゆる放電セルに印加される信号レベルの平均である平均信号レベルをそれぞれのフレーム単位に予測し、予測された平均信号レベルに反比例するようにそれぞれのフレームにおける放電回数の制御において、Ｒ、Ｇ、Ｂ平均信号レベルそれぞれを求める(ａ)段階(Ｓ２０１)、補正平均信号レベルを求める(ｂ)段階(Ｓ２０２)、及び自動電力制御データを生成する(ｃ)段階(Ｓ２０３)を備える。
【００４１】
ＰＤＰ１は、Ｘ電極ライン(図１のＸ１，…，Ｘｎ)とＹ電極ライン(図１のＹ１，…，Ｙｎ）とが交互に並んで配列される維持電極ライン対に対してアドレス電極ライン(図１のＡＲ１，ＡＧ１，…，ＡＧｍ，ＡＢｍ）が交差する領域に形成される放電セルを具備してなる。
【００４２】
また、ＰＤＰの駆動方法は、内部映像信号をディスプレイ周期としてのフレーム単位に区分し、それぞれのフレームは時分割階調ディスプレイのための複数のサブフィールドに分け、それぞれのサブフィールドはリセット周期、アドレス周期、及び維持放電周期に分けてそれぞれの放電セルを表示する。
【００４３】
この時、放電セルは、Ｒ放電セル、Ｇ放電セル、Ｂ放電セルを具備してなるが、このような放電セルは、図１で示すように、塗布される蛍光体(図１の１６)によって放電時にＲ、Ｇ、Ｂの可視光線を放出する。この場合、一般的に同じ表面積の蛍光体から放射されるＲ、Ｇ、Ｂそれぞれの輝度が違う。したがって、それぞれの放電セルで同じ輝度の光を放出させるために、Ｒ放電セル、Ｇ放電セル、Ｂ放電セルの幅を変動させる等、Ｒ、Ｇ、Ｂ放電セルの構造が非対称的に形成されうる。
【００４４】
前記の非対称放電セル構造のようにＲ、Ｇ、Ｂそれぞれに対する放電特性及び放電条件の差によって従来の駆動方法によるＰＤＰではＲ、Ｇ、Ｂそれぞれを表示する時、同じ負荷率を持つ場合にも相異なる消費電力特性を有することがある。
【００４５】
この時、ＰＤＰの駆動方法では消費電力を制御するために自動電力制御を行う。すなわち、あらゆる放電セルに印加される信号レベルの平均である平均信号レベルをそれぞれのフレーム単位で予測し、予測された平均信号レベルに反比例するようにそれぞれのフレームにおける放電回数を制御する自動電力制御データを生成する。これにより、それぞれのサブフィールドの維持放電周期には自動電力制御データ、すなわち、フレーム当たり維持パルスの数から決まる数の維持パルスが印加される。
【００４６】
前記(ａ)段階(Ｓ２０１)においては、外部から入力される映像信号をデジタル信号に変換した内部映像信号から、Ｒ、Ｇ、Ｂそれぞれに対するＲ平均信号レベル、Ｇ平均信号レベル、Ｂ平均信号レベルをそれぞれ求める。
【００４７】
この時、内部映像信号はＲ、Ｇ、Ｂの組み合わせからなるが、このような内部映像信号を処理してそれぞれのＲ、Ｇ、Ｂ映像信号に分離してそれぞれの平均信号レベルを求める。この場合、Ｒ、Ｇ、Ｂそれぞれの映像信号は逆ガンマ補正、誤差拡散処理などの所定の信号処理が行われた後に、これら信号からＲ平均信号レベル、Ｇ平均信号レベル、Ｂ平均信号レベルをそれぞれ求めうる。
【００４８】
Ｒ平均信号レベルはあらゆるＲ放電セルに印加される信号レベルの平均から定められ、Ｇ平均信号レベルはあらゆるＧ放電セルに印加される信号レベルの平均から定められ、Ｂ平均信号レベルはあらゆるＢ放電セルに印加される信号レベルの平均から定められる。
【００４９】
前記(ｂ)段階（Ｓ２０２）においては、Ｒ、Ｇ、Ｂ平均信号レベル及びＲ、Ｇ、Ｂ加重値を用いて補正平均信号レベルを求める。この時、補正平均信号レベルＡＳＬｗは、数式１のようにＲ平均信号レベルＡＳＬｒ、Ｇ平均信号レベルＡＳＬｇ、Ｂ平均信号レベルＡＳＬｂのそれぞれにＲ加重値Ｗｒ、Ｇ加重値Ｗｇ、Ｂ加重値Ｗｂをそれぞれ乗算して加算し、Ｒ加重値、Ｇ加重値、ｂ加重値それぞれの和で割って求めうる。
【００５０】
【数１】
2005157364.tif 000003
【００５１】
前記(ｃ)段階(Ｓ２０３)においては、補正平均信号レベルＡＳＬｗに反比例するそれぞれのフレームにおける維持放電回数Ｎｓを制御する自動電力制御データを生成する。この時、それぞれの補正平均信号レベルＡＳＬｗに対し、補正平均信号レベルに反比例するそれぞれのフレームにおける放電回数Ｎｓを割り当てる自動電力制御テーブルを形成し、自動電力制御テーブルからそれぞれの補正平均信号レベルに該当するそれぞれのフレームにおける放電回数による自動電力制御データを求めることが望ましい。このような自動電力制御方法は、図５に示したグラフによって行われる。
【００５２】
ここで、消費電力は補正平均信号レベルによって定められる。本実施の形態においては、消費電力Ｐｗは、数式２のように、補正平均信号レベルＡＳＬｗとフレーム当たり維持パルスの数Ｎｓから求められる。
【００５３】
【数２】
2005157364.tif 000004
【００５４】
【数３】
2005157364.tif 000005
【００５５】
【数４】
2005157364.tif 000006
【００５６】
数式３及び４において、Ｐｉは初期消費電力であり、Ｐ(ＡＳＬｗ）はＲ、Ｇ、Ｂそれぞれを表現するための純粋消費電力である。また、Ａ、Ｂ、Ｃ、Ｄは実験的に求められる係数である。また、Ｐｉは初期消費電力であって入力データと関係がないので、Ｒ、Ｇ、Ｂ入力データ別消費電力はＲ、Ｇ、Ｂ加重値Ｗｒ、Ｗｇ、Ｗｂそれぞれに対する線形的な関係がある。
【００５７】
この時、Ｒ加重値Ｗｒ、Ｇ加重値Ｗｇ、Ｂ加重値Ｗｂのそれぞれは、図９に示されたようにＲ平均信号レベルＡＳＬｒ、Ｇ平均信号レベルＡＳＬｇ、Ｂ平均信号レベルＡＳＬｂが同じ場合に全画面Ｒ、全画面Ｇ、全画面Ｂのそれぞれを表現するための消費電力の偏差が最小になるように定められることが望ましい。
【００５８】
図９及び図１０に示す実施の形態では、Ｒ加重値Ｗｒ、Ｇ加重値Ｗｇ、Ｂ加重値Ｗｂのそれぞれが１：１.１５４:１.２９６の比率を持つ場合であって、全画面Ｒ、全画面Ｇ、全画面Ｂのそれぞれを表示する場合におけるそれぞれの消費電力とこれら間の偏差のうち最大値が表示される。
【００５９】
図６及び図７に示した加重値を適用していない場合の平均最大偏差が２６.６３６３６に比べて、この場合の平均最大偏差は１０.０９０９１で消費電力の偏差が顕著に減ったことがわかる。
【００６０】
また、前記(ｂ)段階は、Ｒ、Ｇ、Ｂ平均信号レベルを演算する(ｂ１)段階と補正平均信号レベルを演算する(ｂ２)段階とを具備してなる。前記(ｂ１)段階(Ｓ２０２)は、Ｒ平均信号レベルＡＳＬｒ、Ｇ平均信号レベルＡＳＬｇ、Ｂ平均信号レベルＡＳＬｂと、Ｒ加重値、Ｇ加重値、Ｂ加重値とをそれぞれ積算し、かつ合算してその和を求める。前記(ｂ２)段階は、前記和をＲ加重値Ｗｒ、Ｇ加重値Ｗｇ、Ｂ加重値Ｗｂの和で割って補正平均信号レベルＡＳＬｗを求める。
【００６１】
図１１は、本発明の望ましい他の実施の形態によるＰＤＰの駆動装置の論理制御部を概略的に示すブロック図である。図１２は、図１１に示す論理制御部の電力制御部を概略的に示すブロック図である。
【００６２】
図面を参照すれば、ＰＤＰの駆動装置４０は、本発明によってＲ、Ｇ、Ｂそれぞれの放電セルでの消費電力の差を考慮して補正された平均信号レベルによって自動電力制御を行って、画面の色相変化による消費電力の不均衡を制御するためのものであって、図３に示すＰＤＰの駆動装置の論理制御部内で行われ、その詳細な説明は次の通りである。また、ＰＤＰの駆動装置４０は、本発明と関連して図８の駆動方法を具現するためのものであって同じ部分に対する説明はこれを参照し、その詳細な説明は省略する。
【００６３】
論理制御部は、クロックバッファ４５、同期調整部４２６、ガンマ訂正部４１、誤差拡散部４１２、先入先出(Ｆｉｒｓｔ-Ｉｎ  Ｆｉｒｓｔ-Ｏｕｔ)メモリ４１１、サブフィールド発生部４２１、サブフィールド行列部４２２、行列バッファ部４２３、メモリ制御部４２４、フレームメモリＲＦＭ１，…，ＢＦＭ３、再配列部４２５、電力制御部４３、イー・イー・ピー・ロム(ＥＥＰＲＯＭ)４４ａ、Ｉ２Ｃ直列通信インターフェース４４ｂ、タイミング信号発生器４４ｃ、及びＸＹ制御部４４を含む。
【００６４】
クロックバッファ４５は、映像処理部(図８の３６)からの２６メガヘルツ(ＭＨｚ)のクロック信号(ＣＬＫ２６)を４０ＭＨｚのクロック信号(ＣＬＫ４０)に変換させて出力する。同期調整部４２６には、クロックバッファ４５からのＣＬＫ４０、外部からの初期化信号ＲＳ、映像処理部(図８の３６)からの水平同期信号ＨＳＹＮＣ及び垂直同期信号ＶＳＹＮＣが入力される。この同期調整部４２６は、入力された水平同期信号ＨＳＹＮＣが所定のクロック数ほどそれぞれ遅延された水平同期信号ＨＳＹＮＣ１、ＨＳＹＮＣ２、ＨＳＹＮＣ３を出力する一方、入力された垂直同期信号ＶＳＹＮＣが所定のクロック数ほどそれぞれ遅延された垂直同期信号ＶＳＹＮＣ２、ＶＳＹＮＣ３を出力する。
【００６５】
ガンマ訂正部４１に入力される映像データＲ、Ｇ、Ｂは、陰極線管の非線形入出力特性を補正するために逆方向非線形入出力特性を有している。したがって、ガンマ訂正部４１はこのような逆方向非線形入出力特性の映像データＲ、Ｇ、Ｂが線形入出力特性を持つように処理する。誤差拡散部４１２は、先入先出メモリ４１１を利用して映像データＲ、Ｇ、Ｂの境界ビットである最大値ビット(ＭＳＢ)の位置を移動させることによってデータ伝送誤差を減らす。
【００６６】
サブフィールド発生部４２１は、それぞれ８ビットの映像データＲ、Ｇ、Ｂをサブフィールド数に相応するビット数の映像データＲ、Ｇ、Ｂに変換させる。例えば、単位フレームに１４個のサブフィールドで階調駆動を行う場合、それぞれ８ビットの映像データＲ、Ｇ、Ｂをそれぞれ１４ビットの映像データＲ、Ｇ、Ｂに変換した後、データ電送誤差を減らすためにＭＳＢ及び最小値ビット(ＬＳＢ)の無効データ‘０’を追加して１６ビットの映像データＲ、Ｇ、Ｂを出力する。
【００６７】
サブフィールド行列部４２２は、相異なるサブフィールドのデータが同時に入力される１６ビットの映像データＲ、Ｇ、Ｂを再配列して相等しいサブフィールドのデータを同時に出力させる。行列バッファ部４２３は、サブフィールド行列部４２２からの１６ビットの映像データＲ、Ｇ、Ｂを処理して３２ビットの映像データＲ、Ｇ、Ｂとして出力する。
【００６８】
メモリ制御部４２４は、３つの赤色用フレームメモリＲＦＭ１、ＲＦＭ２、ＲＦＭ３を制御するためのＲメモリ制御部、３つの緑色用フレームメモリＧＦＭ１、ＧＦＭ２、ＧＦＭ３を制御するためのＧメモリ制御部、及び３つの青色用フレームメモリＢＦＭ１、ＢＦＭ２、ＢＦＭ３を制御するためのＢメモリ制御部を含む。メモリ制御部４２４からのフレームデータはフレーム単位に出力し続けて再配列部４２５に入力される。図面で参照符号ＥＮは、メモリ制御部４２４のデータ出力を制御するためにＸＹ制御部４４から生成されてメモリ制御部４２４に入力されるイネーブル信号を示す。
【００６９】
また、参照符号ＳＳＹＮＣは、メモリ制御部４２４及び再配列部４２５における３２ビットスロット単位のデータ入出力を制御するためにＸＹ制御部４４から生成されてメモリ制御部４２４及び再配列部４２５に入力されるスロット同期信号を示す。再配列部４２５は、メモリ制御部４２４からの３２ビットの映像データＲ、Ｇ、Ｂをアドレス駆動部(図８の３３)の入力形式に合うように再配列して出力する。
【００７０】
一方、電力制御部４３は、誤差拡散部４１２からのそれぞれ８ビットの映像データＲ、Ｇ、Ｂからフレーム単位に平均信号レベルＡＳＬを検出し、平均信号レベルＡＳＬに相応する放電回数制御データＡＰＣを発生させることによって、各フレームにおける消費電力を一定にする自動電力制御の機能を行う。
【００７１】
また、ＥＥＰＲＯＭ４４ａにはＸ電極ライン(図１のＸ１，…，Ｘｎ)及びＹ電極ライン(図１のＹ１，…，Ｙｎ）の駆動シーケンスによるタイミング制御データが保存されている。維持パルス調節部４３からの放電回数制御データＡＰＣ及びＥＥＰＲＯＭ４４ａからのタイミング制御データは、Ｉ２Ｃ直列通信インターフェース４４ｂを通じてタイミング信号発生器４４ｃに入力される。タイミング信号発生器４４ｃは、入力された放電回数制御データＡＰＣとタイミング制御データによって動作してタイミング信号を発生させる。ＸＹ制御部４４は、タイミング信号発生器４４ｃからのタイミング信号によって動作し、Ｘ駆動制御信号ＳＸ及びＹ駆動制御信号ＳＹを出力する。
【００７２】
この時、電力制御部４３は、平均信号レベル演算部５１、補正平均信号レベル演算部５２、及び自動電力制御データ生成部５３を備える。
【００７３】
前記平均信号レベル演算部５１は、映像信号からあらゆるＲ、Ｇ、Ｂ放電セルに印加される信号レベルの平均であるＲ、Ｇ、Ｂ平均信号レベルＡＳＬｒ、ＡＳＬｇ、ＡＳＬｂをそれぞれ求める。前記補正平均信号レベル演算部５２は、Ｒ、Ｇ、Ｂ平均信号レベルＡＳＬｒ、ＡＳＬｇ、ＡＳＬｂのそれぞれにＲ、Ｇ、Ｂ加重値Ｗｒ、Ｗｇ、Ｗｂをそれぞれ積算し、かつ合算してその和をＲ，Ｇ，Ｂ加重値Ｗｒ、Ｗｇ、Ｗｂの和で割って補正平均信号レベルＡＳＬｗを求める。前記自動電力制御データ生成部５３は、補正平均信号レベルＡＳＬｗに反比例するそれぞれのフレームにおける放電回数Ｎｓを制御する。
【００７４】
自動電力制御データ生成部５３は、それぞれの補正平均信号レベルＡＳＬｗに対し、補正平均信号レベルＡＳＬｗに反比例するそれぞれのフレームにおける放電回数Ｎｓを割り当てる自動電力制御テーブル５４を形成し、自動電力制御テーブル５４からそれぞれの補正平均信号レベル(ＡＳＬｗ)に該当するそれぞれのフレームにおける放電回数による自動電力制御データＡＰＣを求めうる。この時、自動電力制御テーブル５４はＥＥＰＲＯＭ４４ａに保存されてもよい。
【００７５】
本発明は添付した図面に示された一実施の形態に基づいて説明したが、これは例示的なものに過ぎず、当業者ならばこれより多様な変形及び均等な他実施の形態が可能である。従って、本発明の真の技術的保護範囲は特許請求の範囲によってのみ決まるべきである。
【産業上の利用可能性】
【００７６】
本発明は、Ｒ、Ｇ、Ｂそれぞれの放電セルでの消費電力の差を考慮して補正された平均信号レベルによって自動電力制御を行って、画面の色相変化による消費電力の不均衡を制御できるので、ＰＤＰに効果的に適用可能である。
【図面の簡単な説明】
【００７７】
【図１】一般的な３電極面放電方式のＰＤＰの構造を示す内部斜視図である。
【図２】図１に示すＰＤＰの一般的な駆動装置を示すブロック図である。
【図３】図１に示すＰＤＰの一般的な駆動方法を示すタイミング図である。
【図４】図３の単位サブフィールドで図１に示すＰＤＰの電極ラインに印加される駆動信号を示すタイミング図である。
【図５】一般的なＰＤＰにおける自動電力制御の原理を概略的に示すグラフである。
【図６】図５の自動電力制御による駆動方法において非対称構造パネルのＲ、Ｇ、Ｂそれぞれに対する消費電力の様子を示す図面である。
【図７】図５の自動電力制御による駆動方法において非対称構造パネルのＲ、Ｇ、Ｂそれぞれに対する消費電力の様子を示す図面である。
【図８】本発明の望ましい実施の形態によるＰＤＰの駆動方法を概略的に示すブロック図である。
【図９】図８の自動電力制御による駆動方法において非対称構造パネルのＲ、Ｇ、Ｂそれぞれに対する消費電力の様子を示す図面である。
【図１０】図８の自動電力制御による駆動方法において非対称構造パネルのＲ、Ｇ、Ｂそれぞれに対する消費電力の様子を示す図面である。
【図１１】本発明の望ましい他の実施の形態によるＰＤＰの駆動装置の論理制御部を概略的に示すブロック図である。
【図１２】図１１に示す論理制御部の電力制御部を概略的に示すブロック図である。
【符号の説明】
【００７８】
２５    Ｙ駆動部
２６、４０    論理制御部
４３    電力制御部
５１    平均信号レベル演算部
５２    補正平均信号レベル演算部
５３    自動電力制御データ生成部
【図１】
2005157364.tif 000007
【図２】
2005157364.tif 000008
【図３】
2005157364.tif 000009
【図４】
2005157364.tif 000010
【図５】
2005157364.tif 000011
【図６】
2005157364.tif 000012
【図７】
2005157364.tif 000013
【図８】
2005157364.tif 000014
【図９】
2005157364.tif 000015
【図１０】
2005157364.tif 000016
【図１１】
2005157364.tif 000017
【図１２】
2005157364.tif 000018